(57)【特許請求の範囲】
【請求項１】
相対的に反対となる方向へ回動させることで開閉部を開閉する主軸に、主軸を中心とする円周に沿って第一切欠部を有する駆動レバーを固着し、主軸を中心として回動自在な蓄勢レバーの一端側には第一切欠部と係合するピンを設けるとともに当該ピンの近傍と固定部との間にばねを設け、蓄勢レバーの他端側には主軸を中心とする円周に沿って第二切欠部を設け、第二切欠部と係合するとともに主軸と略直角な方向へ往復移動自在なローラフォロアを設け、ローラフォロアをモータに連動連結し、固定部と主軸とを結ぶ中立線の両側に駆動レバーの回動を止める一対の第一ストッパを設けた開閉部の操作装置において、
一対の前記第一ストッパと対応するとともに一対の第一ストッパの反ローラフォロア側に、拘束レバーの外端部を回動自在に支持し、夫々の拘束レバーの内端部が前記主軸へ向かって接近したときに蓄勢時の前記蓄勢レバーの回動方向へ前記駆動レバーが共回りするのを拘束する拘束部と、ピンの回動によって拘束レバーの内端部を主軸から離反させるテーパ部とを夫々の拘束レバーに形成し、拘束レバーの内端部を主軸へ向かって付勢する復帰ばねと、主軸へ向かって内端部が回動した拘束レバーの回動を止める第二ストッパとを夫々設け、夫々の拘束レバーの中間部に突出部を形成する一方、前記主軸を中心とする円弧面を有するとともに駆動レバーの回動により突出部に係合し、前記ピンが前記テーパ部に係合することで主軸から離反した拘束レバーの内端部を主軸から離れた位置に保持するカムを駆動レバーに固着したことを特徴とする開閉部の操作装置。
【請求項２】
一対の拘束レバーにおける反主軸側に、拘束レバーの内端部が主軸へ向かって接近したことを検出して前記モータの回転を止めるリミットスイッチを夫々設けた請求項１に記載の開閉部の操作装置。
【発明の詳細な説明】
【０００１】
【発明の属する技術分野】
本発明は開閉部の操作装置に関し、開閉部の開閉動作が確実に高速で行われるようにしたものである。
【０００２】
【従来の技術】
図４にガス絶縁開閉装置の外観斜視図を示す。斯るガス絶縁開閉装置１には断路器や接地開閉器が設けられる。そして、これらの断路器等における開閉部は操作装置２によって開閉操作される。
【０００３】
従来の操作装置の構造を図５（ａ），（ｂ）に示す。図のように相互に平行に設けられた一対の支持板３ａ．３ｂに軸受４を介して主軸５が回動自在に設けられている。主軸５の前面側には駆動レバー６が固着される一方、背面側には従動レバー７が固着され、従動レバー７の先端は断路器等の可動棒に連動連結されている。主軸５には筒状の軸受８を介して回動自在に中空軸９が設けられ、中空軸９にはばね受け１０が固着されている。そして、図５（ａ）中の上部であって一対の支持板３ａ，３ｂ間に設けられた支持軸１１とばね受け１０との間にはばね１２が設けられている。中空軸９にはこのほか略三角形の蓄勢レバー１３が固着され、蓄勢レバー１３における頂点であって円周方向においてばね受け１０と対応する位置にはピン１４が固着されている。このピン１４は支持板３ａに形成された長孔１５から突出し、主軸５を中心とする円の円周に沿って形成した駆動レバー６の第一切欠部１６に係合している。また、主軸５を中心として蓄勢レバー１３を回動させることによりばね１２を蓄勢するためのローラフォロア１８が、主軸５を中心とする円の円周に沿って形成した蓄勢レバー１３の第二切欠部１７に係合している。このローラフォロア１８は、図示しないモータに連動連結されて正逆回転可能なねじ軸２０に、ナット材１９を介して往復移動可能に設けたものである。このほか、往復回動する駆動レバー６の回動を、「開」の位置と「閉」の位置で止めるために、ストッパ２１ａ，２１ｂが夫々設けられている。
【０００４】
図５（ａ）に示すようにばね１２の中心線が（イ）位置にあって駆動レバー６がストッパ２１ａに当接しているときは、従動レバー７が図示しない可動棒を図示しない固定側導体から離し、断路器ＤＳが「開」になっている。この状態から図示しないモータを回転させてローラフォロア１８を図５（ａ）中の左方へ動かすと、蓄勢レバー１３が時計方向へ回動してばね１２を蓄勢する。そして、ばね１２の中心線が中立線である（ロ）位置のデッドポイントにきてピン１４がデッドポイントを越えると、ばね１２の放勢力によってピン１４と係合する駆動レバー６が図５（ａ）中のストッパ２１ｂに当たるまで高速で時計方向へ回動し、このとき従動レバー７が図示しない可動棒を押して固定側導体に当接させることから、断路器ＤＳが「閉」になり、ばね１２の中心線は（ハ）位置を占める。一方、断路器ＤＳが「閉」の状態からローラフォロア１８を図５（ａ）中の右方へ動かすと、前記とは逆に高速で断路器ＤＳを「開」にすることができる。
【０００５】
しかし、軸受８と主軸５，中空軸９間に摩擦抵抗が作用するため、ばね１２の中心線が（イ）又は（ハ）の位置から（ロ）の位置まで蓄勢されながら動く間に中空軸９の回動と共に主軸５が同じ方向へ回動し、低速で断路器ＤＳが開閉してしまう。このため、可動棒と固定側導体とがアークによって溶着し、通電性能の劣化や絶縁性能の劣化を起こして事故になるおそれがある。
【０００６】
このため、図５（ｂ）の軸受８に代えて図６のように支持板３ｂと一体の軸受１９を設けるとともに軸受１９内に軸受４を介して主軸５を設けることもできる。
【０００７】
斯る構成にすると、中空軸９の回動によって主軸５が回動させられることが防止されるために断路器ＤＳの「開」，「閉」動作が低速で行われることはなく、高速で確実に行われる。
【０００８】
【発明が解決しようとする課題】
ところが、主軸５と中空軸９との間に支持板３ｂに固着した軸受１９を介在させるので、開閉部の操作装置が大形化するという問題がある。
【０００９】
そこで本発明は、斯る課題を解決した開閉部の操作装置を提供することを目的とする。
【００１０】
【課題を解決するための手段】
斯る目的を達成するための請求項１に係る開閉部の操作装置の構成は、相対的に反対となる方向へ回動させることで開閉部を開閉する主軸に、主軸を中心とする円周に沿って第一切欠部を有する駆動レバーを固着し、主軸を中心として回動自在な蓄勢レバーの一端側には第一切欠部と係合するピンを設けるとともに当該ピンの近傍と固定部との間にばねを設け、蓄勢レバーの他端側には主軸を中心とする円周に沿って第二切欠部を設け、第二切欠部と係合するとともに主軸と略直角な方向へ往復移動自在なローラフォロアを設け、ローラフォロアをモータに連動連結し、固定部と主軸とを結ぶ中立線の両側に駆動レバーの回動を止める一対の第一ストッパを設けた開閉部の操作装置において、一対の前記第一ストッパと対応するとともに一対の第一ストッパの反ローラフォロア側に、拘束レバーの外端部を回動自在に支持し、夫々の拘束レバーの内端部が前記主軸へ向かって接近したときに蓄勢時の前記蓄勢レバーの回動方向へ前記駆動レバーが共回りするのを拘束する拘束部と、ピンの回動によって拘束レバーの内端部を主軸から離反させるテーパ部とを夫々の拘束レバーに形成し、拘束レバーの内端部を主軸へ向かって付勢する復帰ばねと、主軸へ向かって内端部が回動した拘束レバーの回動を止める第二ストッパとを夫々設け、夫々の拘束レバーの中間部に突出部を形成する一方、前記主軸を中心とする円弧面を有するとともに駆動レバーの回動により突出部に係合し、前記ピンが前記テーパ部に係合することで主軸から離反した拘束レバーの内端部を主軸から離れた位置に保持するカムを駆動レバーに固着したことを特徴とし、
請求項２に係る開閉部の操作装置の構成は、これに加えて、一対の拘束レバーにおける反主軸側に、拘束レバーの内端部が主軸へ向かって接近したことを検出して前記モータの回転を止めるリミットスイッチを夫々設けたことを特徴とする。
【００１１】
【発明の実施の形態】
以下、本発明を図面に示す実施例に基づいて詳細に説明する。なお、本実施例は図５に示す従来の開閉部の操作装置の一部を改良したものなので、従来と同一部分には同一符号を付して説明を省略し、異なる部分のみを説明する。
【００１２】
本発明による開閉部の操作装置の構成を、図１，図２に示す。図１においては駆動レバー６の回動を拘束する一対のストッパが省略されており（図２に２１ａ，２１ｂとして示す）、夫々のストッパの上方に拘束レバー２３ａ，２３ｂが軸２４ａ，２４ｂを中心とて回動自在に設けられている。この拘束レバーは、図５に示すばね１２の蓄勢時に主軸５と一体の駆動レバー６が中空軸９と一体の蓄勢レバー１３と共に低速で回動するのを防止するために設けられる。夫々の拘束レバー２３ａ，２３ｂの内端部が一定の範囲内で回動するように、下方への動きを止めるストッパ２６ａ，２６ｂと、上方への動きを止めるストッパ２５とが設けられている。拘束レバー２３ａ，２３ｂの内端部を下方へ付勢するため、図２（ａ）に示すように復帰ばね２７ａ，２７ｂが設けられている。拘束レバー２３ａ，２３ｂが下動したときに駆動レバー６の回動を拘束するための拘束部２８ａ，２８ｂが拘束レバー２３ａ，２３ｂに形成されている。このほか、下動した状態の拘束レバー２３ａ，２３ｂの内端部を上動させるために、ピン１４が係合するためのテーパ部２９ａ，２９ｂが拘束レバー２３ａ，２３ｂの内端部の下面に形成され、上動した拘束レバー２３ａ，２３ｂの内端部を当該位置に維持するために、拘束レバー２３ａ，２３ｂに突起３０ａ，３０ｂが形成される一方、駆動レバー６には突起３０ａ，３０ｂと係合するカム３１がボルト３４を介して取り付けられている。カム３１には、駆動レバー６の回動中にいずれか一方の拘束レバーが上動した状態を保持するように、主軸５を中心とする円弧部２２が形成されている。このほか、断路器ＤＳが「開」又は「閉」になったときにローラフォロア１８を駆動するためのモータのスイッチをＯＦＦするためのリミットスイッチ３２ａ，３２ｂが設けられる。これけらのリミットスイッチ３２ａ，３２ｂは、ドグ３３ａ，３３ｂが開放されると下動してモータのスイッチがＯＦＦになる構成である。
【００１３】
次に、斯る開閉部の操作装置の作用を図３に基づいて説明する。図３（ａ）に示すように駆動レバー６が右方へ傾いて断路器ＤＳが閉じた状態から図示しないモータの出力軸がある方向へ回転しローラフォロア１８が右方へ移動すると、図３（ｂ）に示す（ロ）位置であるデッドポイント上へピン１４がくるまではばね１２が蓄勢される。このとき、突起３０ｂがカム３１に押されて拘束レバー２３ｂは上動した状態にある一方、拘束レバー２３ａは開放されているために復帰ばね２７ａにより下動しており、拘束部２８ａに当接することから駆動レバー６が反時計方向へ蓄勢レバー１３と共回りすることが防止される。
【００１４】
図３（ｂ）から図３（ｃ）まではローラフォロア１８が右端まで進み、この間はピン１４がテーパ部２９ａと係合して拘束レバー２３ａの内端部を押し上げるため、これまで駆動レバー６の左方への回動を拘束していた拘束部２８ａが上動して駆動レバー６が開放される。また、これと同時にピン１４が第一切欠部１６内で駆動レバー６に当接して、駆動レバー６を反時計方向へ動かし始める。
【００１５】
図３（ｄ）〜（ｆ）は、ピン１４がデッドポイントを越えたことによるばね１２の放勢力により、蓄勢レバー１３が反時計方向へ回され、更に蓄勢レバー１３に押された駆動レバー６が反時計方向へ回される様子を示したものである。図３（ｄ）の状態では既に持ち上げられた拘束レバー２３ａの突起部３０ａがカム３１と係合し、以後は拘束レバー２３ａの内端部が高い位置に維持される。図３（ｆ）の状態では断路器ＤＳがばね１２の放勢力により高速で「開」になり、それまではカム３１と係合していた突起３０ｂがカム３１から外れるために拘束レバー２３ｂの内端部が復帰ばね２７ｂの付勢力で降下し、ドグ３３ｂが降下してリミットスイッチ３２ｂが動作する。このためローラフォロア１８を駆動するためのモータのスイッチがＯＦＦになる。
【００１６】
この点について、従来は図７（ａ）に示すようにモータと電源との間に接続された補助開閉器３７のレバー３６と駆動レバー６とをロッド３５により連結して補助開閉器３７によりモータのスイッチのＯＦＦ動作を行っており、図７（ｂ）に示すように断路器ＤＳを閉にする場合も開にする場合も補助開閉器３７のレバー３６を押すための押し代Ｓが必要になることを考慮すると、完全に「開」又は「閉」になる手前でモータの接点が切り換わって断路器ＤＳの可動棒がその位置で止まるおそれがあるが、本発明による開閉部の操作装置では断路器ＤＳが完全に「開」又は「閉」になるまでモータの接点が切り換わることはない。
【００１７】
なお、本実施例では開閉部が断路器ＤＳの場合を示したが開閉部は接地開閉器であってもよい。
【００１８】
【発明の効果】
以上の説明からわかるように、請求項１，２に係る開閉部の操作装置によればばねの蓄勢のために蓄勢レバーが回動している間だけ駆動レバーが蓄勢レバーと共回りしないように拘束する拘束レバーを設けたので、低速度で開閉部が開閉することが防止され、従来のようにアーク等による溶接で通電性能が劣化したり絶縁性能が劣化したりすることはない。
【００１９】
請求項２に係る開閉部の操作装置によれば、拘束レバーの動きにより動作するリミットスイッチを設けたので、開閉部が確実に「開」又は「閉」になった場合にのみモータのスイッチがＯＦＦになる。また、蓄勢レバーや駆動レバーの速い動きから検出するのではないことから、チャタリングのおそれはない。
【図面の簡単な説明】
【図１】本発明による開閉部の操作装置の実施例を示す構成図。
【図２】本発明による開閉部の操作装置の実施例に係り、（ａ）は正面図、（ｂ）は右側面図。
【図３】本発明による開閉部の操作装置の実施例を示す作用説明図。
【図４】ガス絶縁開閉装置の斜視図。
【図５】従来の開閉部の操作装置に係り、（ａ）は正面図、（ｂ）は要部断面図。
【図６】従来の開閉部の操作装置の改良案を示す要部断面図。
【図７】従来の開閉部の操作装置におけるモータの回転を制御する補助開閉器に係り、（ａ）は構成図、（ｂ）は作用説明図。
【符号の説明】
５…主軸
６…駆動レバー
１２…ばね
１３…蓄勢レバー
１４…ピン
１６…第一切欠部
１７…第二切欠部
１８…ローラフォロア
２１ａ，２１ｂ…ストッパ
２２…円弧部
２３ａ，２３ｂ…拘束レバー
２６ａ，２６ｂ…ストッパ
２７ａ，２７ｂ…復帰ばね
２８ａ，２８ｂ…拘束部
２９ａ，２９ｂ…テーパ部
３０ａ，３０ｂ…突起
３１…カム
３２ａ，３２ｂ…リミットスイッチ。
【図１】
0003796889.tif 000002
【図２】
0003796889.tif 000003
【図３】
0003796889.tif 000004
【図４】
0003796889.tif 000005
【図５】
0003796889.tif 000006
【図６】
0003796889.tif 000007
【図７】
0003796889.tif 000008